(57)【要約】【課題】流路を延長した場合であっても水処理用固形剤を収容することの容易な水処理器を提供する。【解決手段】水処理器１１は、供給水が流入される流入部１３ａ及び処理水が流出される流出部１２ａを有する筒部１３を備えている。筒部１３内には流路が形成されるとともに筒部１３内に収容される水処理用固形剤により供給水は処理される。流路は筒部１３内において上下方向に延びる流路壁１６により形成されており、その流路壁１６は上面視において渦巻き線状をなしている。【選択図】図１
2009219950.tif 000002
【特許請求の範囲】
【請求項１】
供給水が流入される流入部及び処理水が流出される流出部を有する筐体を備え、前記筐体内には流路が形成されるとともに前記筐体内に収容される水処理用固形剤により前記供給水を処理する水処理器であって、
前記流路は前記筐体内において上下方向に延びる流路壁により形成されるとともに、前記流路壁が上面視において渦巻き線状をなしていることを特徴とする水処理器。
【請求項２】
前記筐体内には、前記流路の幅を狭めるべく上面視において渦巻き線状をなす仕切壁が前記流路壁に沿って設けられることを特徴とする請求項１に記載の水処理器。
【請求項３】
前記流路壁の長手方向における基端が前記筐体に保持されるとともに前記流路壁の長手方向における先端が前記筐体の底壁上に立設される筒状体に保持されることを特徴とする請求項１又は請求項２に記載の水処理器。
【請求項４】
前記筒状体の内部に前記水処理用固形剤が収容されるとともに前記筒状体の内部を流路として構成したことを特徴とする請求項３に記載の水処理器。
【請求項５】
前記流路壁と前記筒状体とが一体成形されていることを特徴とする請求項３又は請求項４に記載の水処理器。
【請求項６】
前記水処理用固形剤が、前記供給水に対するイオンの溶出性能、及び前記供給水中の成分の吸着性能の少なくとも一方の性能を有することを特徴とする請求項１から請求項５のいずれか一項に記載の水処理器。
【発明の詳細な説明】
【技術分野】
【０００１】
本発明は、水処理用固形剤を用いて水処理を行うための水処理器に関する。
【背景技術】
【０００２】
一般に、水道水には残留塩素等が含まれるため、粒状活性炭等の吸着能を利用することで残留塩素等を削減する水処理器が用いられることがある。また一般に、水道水に含まれるミネラル分は、天然水に含まれるミネラル分よりも少ない。このため、各種粒状セラミックから溶出するミネラル分を利用して水道水中にミネラル分を供給する水処理器が用いられることがある。こうした水処理器においては、水処理能力を高めるために、供給された水の流路を改良したものが知られている。
【０００３】
例えば、特許文献１の水処理器においては、同装置の内部に、流路を形成する調水板を階層構造となるように設けるとともに、その調水板に開口部を設けた構成を採用している。この水処理器に供給された供給水は、調水板に沿って水平方向に流動するとともに開口部を通じて垂直方向に流動する。また例えば、特許文献２の水処理器においては、同装置の内部に一対のろ過板を設けるとともに、ろ過板の間に螺旋板を設けた構成を採用している。この水処理器に供給された供給水は、螺旋板に沿って流動する。
【特許文献１】特開２００３−１１２１７４号公報
【特許文献２】特開平１１−３４７５４０号公報
【発明の開示】
【発明が解決しようとする課題】
【０００４】
上記特許文献１及び特許文献２の水処理器においては、流路が延長されることで、水処理用固形剤と供給水との接触時間が十分に確保され易くなる。しかしながら、そうした水処理器内においては水平方向に沿って壁が延びるように形成されるという構造となるため、例えば水処理器の上方から同水処理器内、すなわち流路に水処理用固形剤を収容することが困難となる。
【０００５】
本発明は、こうした実情に鑑みてなされたものであり、その目的は、流路を延長した場合であっても水処理用固形剤を収容することの容易な水処理器を提供することにある。
【課題を解決するための手段】
【０００６】
上記の目的を達成するために請求項１に記載の発明は、供給水が流入される流入部及び処理水が流出される流出部を有する筐体を備え、前記筐体内には流路が形成されるとともに前記筐体内に収容される水処理用固形剤により前記供給水を処理する水処理器であって、前記流路は前記筐体内において上下方向に延びる流路壁により形成されるとともに、前記流路壁が上面視において渦巻き線状をなしていることを要旨とする。
【０００７】
この構成によれば、上面視において渦巻き線状をなす流路壁により流路を形成することで流路が延長される。そして流路壁は、筐体内において上下方向に延びる構成であるため、筐体内に水処理用固形剤を収容するに際して、筐体の上端開口から流路壁間、及び、流路壁と筐体の内壁との間に水処理用固形剤を挿入することが容易である。
【０００８】
請求項２に記載の発明は、請求項１に記載の水処理器において、前記筐体内には、前記流路の幅を狭めるべく上面視において渦巻き線状をなす仕切壁が前記流路壁に沿って設けられることを要旨とする。
【０００９】
例えば水処理用固形剤の性能、単位時間に処理する水量等に応じて、筐体内に収容する水処理用固形剤の容量を調整することが好適である。上記構成によれば、上面視において渦巻き線状をなす仕切壁が流路壁に沿って設けられるため、同仕切壁により流路の幅を容易に狭めることができる。そうした流路に水処理用固形剤を収容することで、筐体内に収容する水処理用固形剤の容量を減らすことができる。
【００１０】
請求項３に記載の発明は、請求項１又は請求項２に記載の水処理器において、前記流路壁の長手方向における基端が前記筐体に保持されるとともに前記流路壁の長手方向における先端が前記筐体の底壁上に立設される筒状体に保持されることを要旨とする。
【００１１】
上述したように、流路壁は渦巻き線状をなしているため、その流路壁を筐体内に保持させる際に、流路壁の長手方向における両端部が不安定になることがある。上記構成によれば、特に流路壁の先端が筒状体に保持されることで、筐体内において流路壁は安定するようになる。
【００１２】
請求項４に記載の発明は、請求項３に記載の水処理器において、前記筒状体の内部に前記水処理用固形剤が収容されるとともに前記筒状体の内部を流路として構成したことを要旨とする。
【００１３】
この構成によれば、筒状体を利用して流路を延長することができる。また、筒状体の内部に水処理用固形剤を収容させることにより、筒状体の壁は水処理用固形剤により内部から支持される。このため、筒状体の外方からの圧力に対して筒状体の耐圧性を高めることができる。
【００１４】
請求項５に記載の発明は、請求項３又は請求項４に記載の水処理器において、前記流路壁と前記筒状体とが一体成形されていることを要旨とする。
この構成によれば、筒状体に対して流路壁を保持する手間が省けるとともに筐体内に流路壁及び筒状体を所定の位置に設けることが容易になる。
【００１５】
請求項６に記載の発明は、請求項１から請求項５のいずれか一項に記載の水処理器において、前記水処理用固形剤が、前記供給水に対するイオンの溶出性能、及び前記供給水中の成分の吸着性能の少なくとも一方の性能を有することを要旨とする。
【００１６】
この構成によれば、例えば水道水を効率的に浄化又は活性化することができるようになる。
【発明の効果】
【００１７】
本発明によれば、流路を延長した場合であっても水処理用固形剤を収容することが容易になる。
【発明を実施するための最良の形態】
【００１８】
以下、本発明を具体化した一実施形態について図１〜図４に基づいて詳細に説明する。
図１及び図２に示すように、本実施形態の水処理器１１は、筐体としての底壁１２を有する筒部１３の内部において水処理用固形剤１４が収容されるように構成されている。筒部１３は供給水が流入される流入部１３ａを有しており、流入部１３ａから供給された供給水は流路１５を通じることで水処理用固形剤１４により処理された後、底壁１２の略中央に形成される流出部１２ａから処理水として流出する。なお、流入部１３ａ及び流出部１２ａでは複数の貫通孔を通じて、それぞれ供給水が流入及び処理水が流出されるように構成されている。
【００１９】
水処理器１１の流路は、上面視において渦巻き線状をなす流路壁１６と、同じく渦巻き線状をなすとともに流路壁１６よりも外径の大きい仕切壁１７とにより形成される。こうした流路壁１６及び仕切壁１７が筒部１３内に収容されることにより、図２に示されるように筒部１３の上面視において渦巻き線状をなす流路１５が形成される。また、流路壁１６及び仕切壁１７は、上下に開口を有する筒部１３内において上下方向に延びるように構成されることで、筒部１３の径方向へ沿った供給水の流動が規制される。
【００２０】
流路壁１６の長手方向（渦巻き線の延びる方向）における基端１６ａは、筒部１３の内壁面に保持されるとともに、流路壁１６の長手方向における先端１６ｂは、円筒状をなす筒状体１８に保持されている。一方、仕切壁１７の長手方向（渦巻き線の延びる方向）の基端１７ａは、流路壁１６の基端１６ａ近傍に保持されるとともに、仕切壁１７の長手方向における先端１７ｂは、筒状体１８の外壁面に保持されている。このように仕切壁１７が流路壁１６に沿って設けられることで、仕切壁１７を設けずに流路を形成した場合よりも、流路の幅は狭められるようになる。
【００２１】
筒状体１８の下端は、流出部１２ａを囲むように底壁１２上に立設されている。筒状体１８の上端には、切り欠き状の凹部１８ａが形成されており、この凹部１８ａを通じて筒状体１８の内部に供給水が流入するように構成されている。なお、本実施形態の流路壁１６、仕切壁１７及び筒状体１８は、金属材料から形成されている。また、流路壁１６及び筒状体１８は一体に成形されている。
【００２２】
図２及び図３に示すように、水処理用固形剤１４は、筒部１３の内壁面と仕切壁１７の外壁面との間、仕切壁１７の外壁面と流路壁１６の内壁面との間、及び筒状体１８の内部に収容される。このとき、流路壁１６及び仕切壁１７は、上下方向に延びるように構成されているため、水処理用固形剤１４を筒部１３の上端開口から挿入することで、水処理用固形剤１４を所定の箇所に充填することができる。なお、流入部１３ａの貫通孔及び流出部１２ａの貫通孔は、水処理用固形剤１４の粒径よりも径を小さく形成されることで、水処理用固形剤１４が筒部１３内に保持されるようになっている。
【００２３】
水処理用固形剤１４は、供給水に対するイオンの溶出性能、及び供給水中の成分の吸着性能の少なくとも一方の性能を有するものが好適である。こうした水処理用固形剤１４の機能により、供給水を浄化又は活性化、すなわち供給水の物性を変化させた処理水が生成される。供給水に対してイオンを溶出する水処理用固形剤１４の材質としては、例えばセラミックス、珊瑚、鉱石等が挙げられる。供給水中の成分を吸着する水処理用固形剤１４の材質としては、例えば活性炭、ゼオライト等が挙げられる。また、陽イオン交換樹脂又は陰イオン交換樹脂は、上記溶出性能と吸着性能とを兼ね備えた水処理用固形剤１４である。なお、磁性を有する水処理用固形剤１４により、供給水を磁気で処理するように構成することもできる。水処理用固形剤１４は、例えば銀等により抗菌処理が施されたものであってもよい。水処理用固形剤１４の形状としては、特に限定されず、例えば粒状、粉体状、繊維状、中空状等の形状が挙げられる。
【００２４】
図４に示すように、筒部１３の上端開口が蓋体１９で閉塞されることにより、底壁１２を有する筒部１３の内部は、流入部１３ａ及び流出部１２ａを除いて水密状態とされる。なお、蓋体１９は図示しない締結具により、筒部１３に対して着脱可能に固定されることにより、例えば水処理用固形剤１４の交換といった水処理器１１の保守を容易に行うことができるようになる。本実施形態の水処理器１１は、図４に二点鎖線で示される処理器装着部３１に装着される。処理器装着部３１の側部には、供給水を導入する導入管３２が接続されるとともに処理器装着部３１の底壁１２には処理水を導出する導出管３３が接続されている。なお、導出管３３は継手を介して水処理器１１の流出部１２ａに接続される。
【００２５】
このように装着された水処理器１１には、導入管３２から処理器装着部３１内に導入された水が流入部１３ａを通じて供給される。こうした流入部１３ａは筒部１３に設けられているため、筒部１３内において上下方向に延びるとともに渦巻き線状をなす流路壁１６に対して供給水を容易に流入させることができる。そして供給水は流路１５を通じるとともに凹部１８ａ及び筒状体１８内を通じて流出部１２ａから処理水として排出される。このとき、流路１５には水処理用固形剤１４が収容されているため、供給水は水処理用固形剤１４と接触することにより、例えば浄化、活性化等の処理が施される。
【００２６】
本実施形態によって発揮される効果について、以下に記載する。
（１）流路壁１６及び仕切壁１７が上面視において渦巻き線状をなしていることで、そうした流路壁１６に沿って流路１５が延長される。ここで、例えば流路を上下に階層構造にしたり、上下方向において螺旋状に延びる形状にしたりすることで、流路の延長を図ることもできる。しかしながら、そうした流路は、筒部内の水平方向に沿って壁が延びるように形成される構造となるため、筒部の上端開口から水処理用固形剤１４を挿入することは困難である。これに対して、本実施形態の流路壁１６及び仕切壁１７は、筒部１３内において上下方向に延びる構成であるため、筒部１３内に水処理用固形剤１４を収容するに際して、筒部１３の上端開口から筒部１３内の所定の位置に水処理用固形剤１４を挿入することが容易である。従って、流路１５を延長した場合であっても水処理用固形剤１４を収容することが容易になる。その結果、例えば水処理器１１に水処理用固形剤１４を充填する作業を円滑に行うことが可能である。
【００２７】
（２）例えば水処理用固形剤１４の性能、単位時間に処理する水量等に応じて、筒部１３内に収容する水処理用固形剤１４の容量を調整することが好適である。本実施形態の筒部１３には、その流路１５の幅を狭めるべく、上面視において渦巻き線状をなす仕切壁１７が流路壁１６に沿って設けられている。このため、同仕切壁１７により流路１５の幅を容易に狭めることができる。そうした流路１５に水処理用固形剤１４を収容することで、筒部１３内に収容する水処理用固形剤１４の容量を減らすことができる。従って、筒部１３の寸法変更を行うことなく、水処理用固形剤１４の容量を調整することを行うことが可能である。
【００２８】
（３）流路壁１６は渦巻き線状をなしているため、その流路壁１６を筒部１３内に保持させる際に、流路壁１６の長手方向における両端部が不安定になることがある。本実施形態では、流路壁１６の長手方向における基端１６ａが筒部１３に保持されるとともに流路壁１６の長手方向における先端１６ｂが底壁１２上に立設される筒状体１８に保持されている。このため、筒部１３内において上述した流路壁１６は安定するようになる。従って、例えば流路壁１６の基端部の変形が抑制される。
【００２９】
（４）筒状体１８の内部に水処理用固形剤１４が収容されるとともに筒状体１８の内部を流路１５として構成している。このため、筒状体１８を利用して流路１５を延長することができる結果、水処理用固形剤１４と処理水との接触時間を確保することが容易である。また、筒状体１８の壁は水処理用固形剤１４により内部から支持される。このため、筒状体１８の外方からの圧力に対して筒状体１８の耐圧性を高めることができる。
【００３０】
（５）流路壁１６と筒状体１８とが一体成形されているため、筒状体１８に対して流路壁１６を保持する手間が省けるとともに筒部１３内に流路壁１６及び筒状体１８を所定の位置に設けることが容易になる。
【００３１】
（６）水処理用固形剤１４が供給水に対するイオンの溶出性能、及び供給水中の成分の吸着性能の少なくとも一方の性能を有することで、例えば水道水を効率的に浄化又は活性化することができる。
【００３２】
なお、前記実施形態を次のように変更して構成してもよい。
・流路壁１６と筒状体１８とは別体として成形した後、筒状体１８に対して流路壁１６を保持させてもよい。また、筒状体１８の内部に水処理用固形剤１４を収容しているが、図５に示されるように筒状体１８の内部には水処理用固形剤１４を設けなくてもよい。この場合、筒状体１８の内部を流路１５とせずに構成してもよい。加えて、流路壁１６を筒状体１８と離間して設けてもよい。この場合、筒状体１８を支持する支持部材として構成することで、水処理器１１は補強されるようになる。なお、こうした筒状体１８を省略して水処理器１１を構成することもできる。
【００３３】
・図５に示されるように、仕切壁１７を省略して流路を構成してもよい。この場合、水処理用固形剤１４の容量を増加させることができる。
・前記流出部１２ａを流入部１３ａに変更するとともに前記流入部１３ａを流出部１２ａに変更してもよい。すなわち、供給水の流動させる方向を変更してもよい。
【００３４】
・前記流出部１２ａは底壁１２に設けられているが、蓋体１９に設けてもよい。また、前記流入部１３ａを蓋体１９又は底壁１２に設けてもよい。
・前記水処理器１１は、その上下方向を鉛直方向に沿うように設置して使用してもよいし、同上下方向を鉛直方向に対して傾斜又は直交するように設置してもよい。
【００３５】
・前記筒部１３は、円筒状に形成されているが、例えば四角筒状、六角筒状等の多角筒状に変更してもよい。筒部１３の強度を高めるとともに筒部１３の内壁における流動抵抗を低減するという観点から、筒部１３は円筒状であることが好適である。
【００３６】
・水処理器１１の材質は、特に限定されず、例えば樹脂材料から形成してもよい。例えば上下方向において螺旋状に延びる形状の場合、樹脂材料の射出成形では成形が困難であるが、前記流路壁１６は、樹脂材料の射出成形であっても、容易に成形することができる。
【００３７】
・水処理器１１により処理する水としては、飲用に限定されない。例えば、各種洗浄用水、風呂用水、農業用水、養殖用水を処理する水処理器１１として適用してもよい。
上記実施形態から把握できる技術的思想について以下に記載する。
【００３８】
・前記筒状体の上端に形成される凹部を通じて前記供給水が前記流出部へ導かれるように構成されている水処理器。この構成によれば、筒状体内において上部から下部への流路を確保することが容易である。
【００３９】
・前記筐体が筒部と同筒部の下端開口を閉塞する底壁とを備えてなり、前記流入部及び流出部の少なくとも一方が前記筒部に設けられる水処理器。この構成によれば、上述した流路壁により形成される流路に対して、供給水の流入又は処理水の流出を容易に行うことができる。
【図面の簡単な説明】
【００４０】
【図１】本実施形態の水処理器を示す分解斜視図。
【図２】水処理器を示す斜視図。
【図３】水処理器を示す上面図。
【図４】水処理器の使用状態を示す斜視図。
【図５】（ａ）は水処理器の変形例を示す斜視図、（ｂ）は水処理器の変形例を示す上面図。
【符号の説明】
【００４１】
１１…水処理器、１２…底壁、１２ａ…流出部、１３…筒部、１３ａ…流入部、１４…水処理用固形剤、１５…流路、１６…流路壁、１６ａ…基端、１６ｂ…先端、１７…仕切壁、１８…筒状体。
【図１】
2009219950.tif 000003
【図２】
2009219950.tif 000004
【図３】
2009219950.tif 000005
【図４】
2009219950.tif 000006
【図５】
2009219950.tif 000007